(57)【要約】      （修正有）【課題】乾燥効果が良く、乾燥剤の散在や粉塵もなく、乾燥剤と薬品が直接接触しないよう隔離して、誤って薬品として飲むこともなく、幅広く薬の乾燥に応用できる固体シリカチップ状乾燥剤付き薬瓶を提供する。【解決手段】キャップ６内にキャップロックリング７、或いはボトル１０内にボトルロックリングを設け、キャップロックリング或いはボトルロックリング内にブリスター型乾燥剤を設ける。ブリスター型乾燥剤を、内から外へそれぞれ固定シリカチップ状乾燥剤４、ティー濾紙３、ブリスター底板１とブリスター５及び吸湿穴２で構成する。固体シリカチップ状乾燥剤は、一種類の８０〜８５％の酸化ケイ素粉と１５〜２０％の澱粉を均一に混合して、篩別、チップ作成、乾燥などのプロセスによって作られたシリカ乾燥剤である。【選択図】図１
0003197187.tif 000002
【実用新案登録請求の範囲】
【請求項１】
一種の固体シリカチップ状乾燥剤付き薬瓶であり、
キャップ（６）とボトル（１０）を含み、
キャップ（６）内にはキャップネジ（９）が設けてあり、
ボトル（１０）上端の外面にはキャップネジ（９）とマッチするボトルネジ（８）が設けられ、
その特徴が、
キャップネジ（９）とキャップ（６）内のトップの間にはキャップロックリング（７）が設けられ、
キャップロックリング（７）とキャップ（６）のトップの間にはブリスター型固体乾燥剤が取り付けられ、
或いはボトル（１０）内の下端にはボトルロックリング（１２）が設けられ、
ボトル（１０）内の底端とボトルロックリング（１２）の間にブリスター型固体乾燥剤が取り付けられ、
前記ブリスター型個体乾燥剤が内から外へそれぞれ固体シリカチップ状乾燥剤（４）、ティー濾紙（３）、ブリスター底板（１）とブリスター（５）を含み、
吸湿穴（２）がブリスター（５）を貫通し、
吸湿穴（２）の形状が丸い或いは四角い、或いは三角形である、固体シリカチップ状乾燥剤付き薬瓶。
【請求項２】
一種の固体シリカチップ状乾燥剤付き薬瓶であり、
その特徴は、
吸湿穴（２）は１〜８個であり、
吸湿穴（２）の穴径は１〜５０ｍｍである、請求項１に記載の固体シリカチップ状乾燥剤付き薬瓶。
【請求項３】
一種の固体シリカチップ状乾燥剤付き薬瓶であり、
その特徴は、ブリスター（５）の形状と大きさがティー濾紙（３）で包んだ固体シリカチップ状乾燥剤（４）を中に包める形状と大きさである、請求項１に記載の固体シリカチップ状乾燥剤付き薬瓶。
【請求項４】
一種の固体シリカチップ状乾燥剤付き薬瓶であり、
その特徴は、
ブリスター底板（１）の形状と大きさがキャップ（６）内のトップの形状と大きさに適応し、
ブリスター底板（１）の厚さ寸法はキャップ（６）内のトップとキャップロックリング（７）の間の隙間に一致する、請求項１に記載の固体シリカチップ状乾燥剤付き薬瓶。
【請求項５】
一種の固体シリカチップ状乾燥剤付き薬瓶であり、
その特徴は、
ブリスター底板（１）の形状と大きさがボトル（１０）内底端の形状と大きさに適応し、
厚さはボトル内底とボトルロックリング（１２）の間の隙間に一致する、請求項１に記載の固体シリカチップ状乾燥剤付き薬瓶。
【考案の詳細な説明】
【技術分野】
【０００１】
当実用新案は固体シリカチップ状乾燥剤付きの薬瓶に関し、薬品パッキング技術分野に属する。
【背景技術】
【０００２】
薬品は人類の健康にかかわる特殊商品として、製造、パッキング、輸送、使用などそれぞれの段階とも特殊な安全要求を有しており、その中パッキング段階では乾燥剤に対して更に厳しく要求している。今現在その業界に使われている乾燥剤は薬用シリカゲル乾燥剤であり、それを紙袋或いは数多くの穴を開けてあるバイアルによってパッキングしている。上述シリコーンは分解できない、且つ可塑性も悪いからパッキング或いは瓶詰めとも人間の手を利用しなければならない（まずは乾燥剤を包装袋或いは瓶の中に入れて、そして包装が出来上がった乾燥剤を薬瓶に入れる、合せて二つの生産プロセスがある）、周知のように手で触ると二次汚染を引き起こしやすい、且つ少量の散在も引き起こしやすい。上述シリカゲル乾燥剤は吸湿能力が低下し、特に９９％相対湿度の場合２４時間だけで吸湿程度が飽和になってシリカゲルが失効する。
【０００３】
それ故に特許ナンバ２００７１００９４０４６の中国実用新案の特許“酸化ケイ素乾燥剤及び生産方法”が８０〜８５％の酸化ケイ粉と１５〜２０％の澱粉によって組成した固体シリカチップ状乾燥剤を公開している。当該製品は天然の二酸化ケイ素を原料として、無毒、無臭、更に強い吸着能力があるし、吸湿飽和後色も変わらない、潮解もない、汚染もないメリットがある。その他の乾燥剤と比べると著しい優れたところは吸湿作用長い、吸水率均一などによって薬品の品質を確保することである。乾燥剤の耐圧強度強い、散在することもしないし、粉塵もない、乾燥剤の外はティー濾紙で包装して密閉的な包装があるため、乾燥剤と薬品を直接接触することを隔離し、更に粉塵塵埃の粒と微生物の汚染源で発生するリスクを低下させることができる。しかし、当該固体シリカチップ状乾燥剤の形状は薬品と似ているので、その乾燥剤と薬品を同時的に薬瓶の中に入れれば高齢者と子供が誤って食べることを引き起こしやすい。
【考案の概要】
【考案が解決しようとする課題】
【０００４】
当実用新案の目的は一種固体シリカチップ状乾燥剤付きの薬瓶を設計して、当実用新案の薬瓶を使って有効的に高齢者と子供が誤ってこの乾燥剤を食べることを防止して、薬品使用の安全性を高めることである。
【課題を解決するための手段】
【０００５】
当実用新案はパッキング工程を減少し、ワンステップでパッキングを完成して、更に薬品安全、有効、均一性などの優れるところを有する。従来の薬品パッキング技術と比べて（乾燥剤を紙袋或いは瓶に入れてからその乾燥剤入れた紙袋或いは瓶を全体的に薬瓶に入れる二つのステップ）、ワンステップになり、大幅に労働生産効率とオペレータの労働強度を下げて労働条件を改善した。
【０００６】
当実用新案はキャップとボトルを含み、キャップの内側はネジがあり、ボトルトップにもキャップと合せるボトルネジがある。その構造のポイントは：キャップネジとキャップ内のトップの間にはキャップロックリングを設け、キャップロックリングとキャップトップの間にはブリスター型固体乾燥剤を付けてあり、或いはボトル内の下端にはキャップロックリングを設けてあり、ボトル内底端とキャップロックリングの間にはブリスター型固体乾燥剤を付けてある。
【０００７】
上述ブリスター型固体乾燥剤が内から外へ固体シリカチップ状乾燥剤、ティー濾紙、ブリスター底板とブリスター及び吸湿穴があり、吸湿穴がブリスターを貫通し、吸湿穴の形状は丸い、或いは四角い、或いは三角形などである。
【０００８】
上述吸湿穴は１〜８個もあり、各吸湿穴の穴径が１〜５０ｍｍである。
【０００９】
上述ブリスターの形状と大きさがティー濾紙を有する固体シリカチップ状乾燥剤を中に包むことができる形状と大きさである。
【００１０】
上述ブリスター底板の形状と大きさがキャップ内のトップの形状と大きさに適応する。
【００１１】
厚さサイズはキャップ内トップとキャップロックリングの間の隙間が一致することによってブリスター型乾燥剤をしっかりとロックして緩めない脱出しないようになる。
【００１２】
上述ブリスター底板の形状と大きさがボトル内底端の形状と大きさに適応し、厚さはボトル内の底とボトルリング型ロックとの間の隙間に一致し、それによってブリスター型乾燥剤をしっかりとロックして緩めないし脱出もないようにさせる。
【００１３】
上述した固体シリカチップ状乾燥剤は重量パーセンテージが８０〜８５％の酸化ケイ素粉と１５〜２０％澱粉を均一に混合、篩別、チップ作成、乾燥などのプロセスによって作られたものである。
【００１４】
当該実用新案は下記のメリットがある：
１．当該実用新案はキャップ内或いはボトル内の底端の上面にブリスター型固体乾燥剤を取り付けてあり、またその固体乾燥剤がキャップロックリング或いはボトルロックリングによって固定されているので、ボトル内で安定的に付ける効果があり、更に高齢者或いは子供が薬として誤って飲むことを防止することができる。
【００１５】
２．当該実用新案は内から外へ固体乾燥剤、ティー濾紙、ブリスター底板、ブリスターなどによって構成されるので、良好な乾燥効果の保障ばかりでなく、当該実用新案の乾燥剤の耐圧強度は強いし、散在しないし、粉塵もない、ブリスターが乾燥剤と薬品との直接の接触をしないために、大幅に粉塵塵埃粒と微生物汚染源の薬品に対する潜在の危険を下げることである。
【００１６】
３．当実用新案に使われた固体乾燥剤が天然のシリカを原料として作成したので、従来のシリカゲル乾燥剤と比べると無毒性、無臭、また強い吸湿能力を持っており、且つ吸湿飽和後にも色が変わらない、潮解もない、逆浸透もない、吸湿作用長い、吸湿速度均一などのメリットがある。
【００１７】
４．当該実用新案が設計中にブリスターに吸湿穴を設ける方法によって、ボトル内の薬品の乾燥が保障できるし、且つ乾燥時間長く維持できるし、相対湿度が９９％以下の場合にも吸湿飽和時間が７日以上（従来のシリカゲル乾燥剤が相対湿度が９９％以下の場合、その吸湿時間を２４時間しか持ってない）であり、それ故にパッキングプロセスを全自動化することができる。
【００１８】
５．当該実用新案に使われた固体乾燥剤がロックリングによってキャップ或いはボトル内の底に固定されている、且つ低速吸湿（相対湿度が９９％以下の場合７日掛かって十分な水分を吸収することができる）、従来の薬品パッキング技術と比べて（乾燥剤を紙袋或いは瓶に入れてからその紙袋に入れた乾燥剤或いは瓶に入れた乾燥剤を薬瓶に入れる２回のステップ）、一のステップが減少し、それと同時に大幅に労働生産効率を高めるし、オペレータの労働強度と労働条件を改善した。それによって薬品が湿って失効になることを避けた。
【図面の簡単な説明】
【００１９】
【図１】当該実用新案に係るキャップ内にプリスター型固体乾燥剤を付けた構造を示す図。
【図２】当該実用新案に係るブリスター型固体乾燥剤の上から見た図。
【図３】当該実用新案に係るブリスター型固体乾燥剤の断面図。
【図４】当該実用新案に係るブリスター型固体乾燥剤をキャップに付けてあるキャップの構造を示す図。
【図５】当該実用新案に係るブリスター型固体乾燥剤をボトルに付けてあるボトルの構造を示す図。
【考案を実施するための形態】
【００２０】
図の中には
１．ブリスター底板                    ２．吸湿穴
３．ティー濾紙                        ４．固体シリカチップ状乾燥剤
５．ブリスター                        ６．キャップ
７．ギャップロックリング              ８．ボトルネジ
９．ギャップネジ                      １０．ボトル
１１．薬品                            １２．ボトル底ロックリング。
【００２１】
図１〜５をご覧ください。まずは容量が５ｍｌ〜５ｌの丸い或いは四角い薬瓶によって固体シリカチップ状乾燥剤４の量を０．５〜５００ｇ計って、それから中国実用新案特許“シリカ乾燥剤及び生産方法”特許ナンバ：２００７１００９４０４６．４の内容にしたがって、市販の８０〜１００ｇのシリカ粉末とシリカゾルを１：０．８〜０．９の比重で混合して混合物を得て、それからその混合物を澱粉と４〜４．２５：０．７５〜１の比重で混合してから離型剤ステアリン酸マグネシウムを添加し、ステアリン酸マグネシウムの添加量は混合物総重量の０．５〜１％である。篩別してからチップを作り、そして乾燥、真空引きによって固体シリカチップ状乾燥剤４が出来上がった。
【００２２】
固体シリカチップ状乾燥剤４の外でティー濾紙３を包み、ティー濾紙が杭州新華紙業有限公司或いは浙江普瑞克特種紙有限公司で作られた医薬使用要求に符合し、仕様が１０〜５０ｇ/ｍ２のティー濾紙である。
【００２３】
そしてティー濾紙３で包んだ固体シリカチップ状乾燥剤４を錦州アルミ樹脂包装機械有限公司で作られたＤＰＴ−１９０ブリスター機を採用してＰＥ膜と熱圧で一体にし、それによってブリスター型固体乾燥剤が出来上がった。具体的な圧製のプロセスは、まず上述のブリスター用ＰＥ膜をＰＥ熱圧温度によって成形してブリスター５にして、それからブリスター５の円周に４つの対称の吸湿穴２を開け、次はティー濾紙３で包んでいる固体シリカチップ状乾燥剤４をブリスター５内に装入し、それからブリスター底板１をブリスター５にカバーしてから熱圧封入を行って、ブリスター型固体乾燥剤が出来上がった。
【００２４】
上述ブリスター底板１は上海雅特▲いん▼義包装材料有限公司で作られた医用ＰＥプリスチロール底板を採用し、ブリスター１の形状と大きさがキャップ内のトップの形状と大きさに適応し、厚さはボトル内底とボトルロックリング１２の間の隙間と一致する或いはボトル内底端の形状と大きさに適応する。ブリスター底板１の形状と大きさがボトル１０の内底端の形状と大きさに適応し、厚さはボトル内底とボトルロックリング１２との間の隙間に一致する。
【００２５】
ブリスター５は湖南祁陽新五洲医薬包装有限公司で作られた厚さが０．１０〜０．５ｍｍのＰＥフィルムを採用する。まずはブリスター５とブリスター底板１の連結部で等距離の４つの吸湿穴２を設け、吸湿穴２の穴径は薬瓶の大きさによって１〜５０ｍｍを選ぶ。
【００２６】
キャップ６とボトル９の構造形状は増設ロックリングを作り、それによってブリスター型固体乾燥剤を取り付ける必要性を満足する。
【００２７】
具体的なプロセスは下記通り：
キャップ６にキャップロックリング７を増設する方法は：キャップネジ９とキャップ６内のトップの間にリング突起を設けて、キャップロックリング７を構成し、キャップロックリング７とキャップ６のトップの間でプリスター型固体乾燥剤を取り付け、キャップロックリング７を設けるためにプリスター型固体乾燥剤が脱出しない。最後にプリスター型固体乾燥剤を取り付けたキャップ６をシールしてから薬品パッキング場へ持っていって、薬のパッキングを行う。
【００２８】
ボトル１０の中にはリング突起を設けてあり、このリング突起がボトルロックリング１２として、ボトル１０内の底端とボトルロックリング１２の間にはプリスター型固体乾燥剤を取り付け、ボトルロックリング１２が止めることによってプリスター型固体乾燥剤が脱出することがない、最後にプリスター型固体乾燥剤を取り付けたボトル１０とキャップをシールしてから薬品パッキング場へ持っていって、薬のパッキングを行う。
【符号の説明】
【００２９】
１    ブリスター底板、
２    吸湿穴、
３    ティー濾紙、
４    固体シリカチップ状乾燥剤、
５    ブリスター、
６    キャップ、
７    ギャップロックリング、
８    ボトルネジ、
９    ギャップネジ、
１０  ボトル、
１１  薬品、
１２  ボトル底ロックリング。
【図１】
0003197187.tif 000003
【図２】
0003197187.tif 000004
【図３】
0003197187.tif 000005
【図４】
0003197187.tif 000006
【図５】
0003197187.tif 000007